(57)【要約】【課題】複数の電気機器を複数の盤筐体に分散させてそれぞれ収納した複数台の盤装置を簡易に等電位ボンディング接地する。【解決手段】複数の盤筐体の内部において各盤筐体にそれぞれ収納される所定数の電気機器を該電気機器の接地種別に応じて設けられた複数の接地中継台にそれぞれ区分けして接続した電気設備システムにおいて、前記各盤筐体にそれぞれ設けられた前記複数の接地中継台と当該盤筐体とを電気的に接続する。また前記各盤筐体の外部において前記各盤装置の前記接地中継台、または盤筐体を所定の導電部材を介してそれぞれ相互に接続すると共に、これらの接地中継台、前記盤筐体、または前記導電部材のうち少なくとも一つを地中に埋設した接続極（アース杭）に接続する。【選択図】      図１
2016116324.tif 000002
【特許請求の範囲】
【請求項１】
複数の電気機器を複数の盤筐体に分散させてそれぞれ収納した複数台の盤装置を具備し、これらの複数台の盤装置は、分散して各盤筐体に収納される前記電気機器の接地種別の異なりに対応した複数の接地中継台を互いに絶縁可能にそれぞれ備えると共に、各盤筐体に収納された前記電気機器を該電気機器の接地種別に応じて当該盤筐体に設けられた前記接地中継台にそれぞれ接続している電気設備システムであって、
前記各盤筐体の内部において該盤筐体に設けられた前記複数の接地中継台と当該盤筐体との各部位をそれぞれ相互に電気的に接続して等電位化し、
前記各盤筐体の外部において、夫々の前記盤装置の等電位化された部位を導電部材を介してそれぞれ相互に接続すると共に、これらの等電位化された部位または前記導電部材の少なくとも一つを大地に埋設した接地極に接続したことを特徴とする電気設備システム。
【請求項２】
前記導電部材を介して相互に接続される前記各盤装置の等電位化された部位は、前記各盤装置における前記接地中継台または前記盤筐体である請求項１に記載の電気設備システム。
【請求項３】
前記複数台の盤装置は、複数列に亘って並べて設けられ、
前記各盤筐体の外部における前記各盤装置の等電位化された部位または前記導電部材の相互接続を前記盤装置の各列毎に行うと共に、これらの列間における前記盤筐体の電気的な接続を隣接する列間でそれぞれ行うことを特徴とする請求項１に記載の電気設備システム。
【請求項４】
前記複数列に亘って並べて設けた前記複数台の盤装置に対する前記盤筐体間の電気的な接続は、導電体上に前記各盤装置をそれぞれ設置して前記盤筐体を前記導電体に接続して行われる請求項３に記載の電気設備システム。
【請求項５】
前記導電体は、前記複数台の盤装置の全てを並べて設置可能な大きさの金属板からなる請求項４に記載の電気設備システム。
【請求項６】
前記導電体は、前記複数台の盤装置を列毎に設置可能な複数の金属製土台からなり、これらの金属製土台は隣接する金属製土台間で導電部材を介して電気的に接続されている請求項４に記載の電気設備システム。
【発明の詳細な説明】
【技術分野】
【０００１】
本発明は、接地種別の異なる複数種の電気機器を分散させて設けた複数台の盤装置を備え、これらの各盤装置における前記複数種の電気機器を簡易に等電位ボンディング接地するようにした電気設備システムに関する。
【背景技術】
【０００２】
建屋（ビル）等に設置される電気設備システムは、例えば複数種の電気機器をその接地種別毎に分散させて複数台の盤装置にそれぞれ収納して構築される。ちなみに複数種の電気機器の接地種別は、各電気機器が取り扱う電圧の違い等に応じてＡ種、Ｂ種、Ｃ種およびＤ種の４つに区分される。またこの種の電気設備システムにおいては、感電防止や機器保護の為、更にはノイズ対策や基準電位確保の為に前記電気機器のみならず前記電気機器を収納した前記盤装置の躯体をなす、いわゆる盤筐体を地中に埋設した接地極（アース杭）に接続することで大地に接地することが行われる。
【０００３】
ところで前記接地極は、大地との間に或る程度の接地抵抗を持つ。これ故、前記接地極に地絡電流やノイズ電流が流れ込むと、前記接地抵抗に起因して前記盤装置の基準電位が上昇することが否めない。この基準電位の上昇は、感電やノイズに起因する誤動作等の障害を引き起こす要因となる。従って前記接地抵抗を０Ωとすることが理想的ではあるが現実的には不可能である。
【０００４】
このような不具合に対するべく、従来では前記電気機器の接地種別毎に、例えば図６に示すように独立した複数の接地極を設けるようにしている。具体的には電気機器の接地種別の異なりに対応させて複数の盤装置１ａ,１ｂを設ける。これら盤装置１ａ,１ｂは、所定の大きさの盤筐体２ａ,２ｂに前記複数の電気機器、例えば電力変換器３ａ,３ｂとその制御装置４ａ,４ｂを、その接地種別の異なりに応じて区分けして収納したものである。そして前記各盤筐体２ａ,２ｂのそれぞれに電気的に接続して設けた接地中継台５ａ,５ｂに、前記電力変換器３ａ,３ｂおよび前記制御装置４ａ,４ｂの各接地端子をそれぞれ接地線６ａ,６ｂ,６ｃ,６ｄを個別に介して接続する。
【０００５】
その上で前記各接地中継台５ａ,５ｂを、接地端子盤７に接地種別毎に設けた中継端子８ａ,８ｂに接地線６ｅ,６ｆを個別に介してそれぞれ接続する。ちなみに前記各中継端子８ａ,８ｂは、予め所定の距離を隔てて大地（地中）に埋設された接地極（アース杭）９ａ,９ｂに接続したものである。この結果、前記電力変換器３ａ,３ｂ、前記制御装置４ａ,４ｂおよび前記盤筐体２ａ,２ｂは、その接地種別毎にそれぞれまとめられて前記接地極（アース杭）９ａ,９ｂを介して大地に個別に接地される。このような接地手法は、個別接地法または独立接地法と称される。
【０００６】
この接地法によれば，接地種別毎に接地極９ａ,９ｂが独立しており，例えば図６において電力変換器３ａで発生した高周波ノイズが接地極９ｂに流れ込んでも，他の接地極９aに繋がっている他の電気機器は影響を受けず，誤動作し難いと考えられている。しかし実際には，或る接地極に流れ込んだ電流が他の接地極から他の機器に流れ込み，誤動作などの不具合を起こす場合がある。
【０００７】
また既存の建屋に新しい電気設備システムを導入する場合等、前記中継端子８ａ,８ｂにどのような接地種別の電気機器が接続されているかが判らないことが多々ある。また新たな接地種別に対応した接地極（アース杭）を設けることが困難なこともある。これ故、例えば或る中継端子に接地種別の異なる電気機器を接続した場合、個別接地とは似て非なる接地状態となってしまう。
【０００８】
これに対して、例えば特許文献１には複数の電気機器と大地との電位差のバラツキを解消する等電位ボンディング接地法が開示されている。この等電位ボンディング接地法は、例えば建屋の各階毎に，該建屋の躯体をなす鉄骨等の導電体に接続した分電盤や，床面に銅メッシュを設けておく。その上で、前記建屋に設けられる複数の電気機器の各接地端子や筐体を前記建屋の各階に設けた前記各分電盤や銅メッシュにそれぞれ接続することで、前記複数の電気機器同士の電位差を抑えるものである。
【先行技術文献】
【特許文献】
【０００９】
【特許文献１】特開２００３−２０８９２９号公報
【発明の概要】
【発明が解決しようとする課題】
【００１０】
ところで産業用の電力変換機器等を含む大規模な電気設備システムにおいては、例えば図７に示すように接地電位を異にする複数種の電気機器を、その機能ブロック毎にまとめて複数の盤装置１１ａ,１１ｂの各盤筐体１２ａ,１２ｂにそれぞれ分散させて収納して構成することがある。ちなみに図７は、接地種別の異なる電気機器を、例えば電力変換器１３と、この電力変換器１３とは接地種別の異なる制御装置１４とを前記盤筐体１２ａに収納して前記盤装置１１ａを構成し、また前記電力変換器１３および前記制御装置１４とは接地種別の異なるトランス１５を前記盤筐体１２ｂに収納して別の前記盤装置１１ｂを構成した例を示している。
【００１１】
このような電気設備システムにおいては、従来、独立接地法が主流であったこともあって、前記各盤筐体１２ａ,１２ｂには該盤筐体１２ａ,１２ｂに収容される電気機器の接地種別に対応した接地中継台１６ａ,１６ｂ,１６ｃ,１６ｄがそれぞれ設けられる。図７に示す例においては盤筐体１２ａに設けられた前記接地中継台１６ａ,１６ｂは、例えばＣ種接地用の端子台およびＤ種接地用の端子台である。また前記盤筐体１２ｂに設けられた前記接地中継台１６ｃ,１６ｄは、例えばＡ種接地用の端子台およびＢ種接地用の端子台である。
【００１２】
ここで前記接地中継台１６ａ,１６ｃは、例えば前記盤筐体１２ａ,１２ｂに電気的に接続して設けられ、また前記接地中継台１６ｂ,１６ｄは碍子等の絶縁体を介して前記盤筐体１２ａ,１２ｂから絶縁して設けられる。そして前記盤筐体１２ａ,１２ｂにそれぞれ収容された前記電気機器、即ち、前記電力変換器１３、前記制御装置１４および前記トランス１５は、その接地種別に応じた接地線６ａ〜６ｄを個別に介して前記接地中継台１６ａ,１６ｂ,１６ｃ,１６ｄにそれぞれ接続される。
【００１３】
ちなみに前述した個別接地法の場合には、前記各接地中継台１６ａ,１６ｂ,１６ｃ,１６ｄ毎に前記接地端子盤７を介して前記接地極（アース杭）にそれぞれ接続することで大地に接地される。一方、等電位ボンディング接地法の場合には、特許文献１に示されるように前記各盤装置１１ａ,１１ｂの盤筐体１２ａ,１２ｂを所定の接地線をそれぞれ介してそれぞれ最寄りの分電盤の接地端子に接続することになる。しかしこの場合、盤筐体１２ａ,１２ｂに接続されていない接地中継台は等電位化されない。この結果、等電位化されない電気機器が生じることがある。
【００１４】
このような不具合を解消するには、例えば前述した等電位ボンディング接地法に合わせて前記各盤装置１１ａ,１１ｂを含む電気設備システムの全体を設計し直せば良い。しかしながら現実的には建屋の構造自体を前記等電位ボンディング接地法に合わせて変更することが困難なことが多く、手間とコストが掛かることが否めない。しかも個別接地法を採用した既存の電気設備システムで用いられていた複数の盤装置１１ａ,１１ｂをそのまま活用しながら、新たな電気設備システムの構築が要求されることも多々ある。この為、上述したような種々の環境において接地種別の異なる複数の電気機器を備えた電気設備システムを、前記複数の電気機器の電位差のバラツキを無くして施工する上で種々の問題があった。
【００１５】
本発明はこのような事情を考慮してなされたもので、その目的は、複数台の盤装置にそれぞれ設けられた接地種別の異なる複数の電気機器を、前記各盤装置を設計変更することなく簡易に、しかも確実に等電位ボンディング接地することのできる電気設備システムを提供することにある。
【課題を解決するための手段】
【００１６】
上述した目的を達成するべく本発明に係る電気設備システムは、複数の電気機器を複数の盤筐体に分散させてそれぞれ収納した複数台の盤装置を具備し、これらの複数台の盤装置は、分散して各盤筐体に収納される前記電気機器の接地種別の異なりに対応した複数の接地中継台を互いに絶縁可能にそれぞれ備えると共に、各盤筐体に収納された前記電気機器を該電気機器の接地種別に応じて当該盤筐体に設けられた前記接地中継台にそれぞれ接続している電気設備システムであって、
前記各盤筐体の内部おいて該盤筐体に設けられた前記複数の接地中継台と当該盤筐体とをそれぞれ相互に電気的に接続して等電位化し、
前記各盤筐体の外部において、夫々の前記盤装置の等電位化された部位を導電部材を介してそれぞれ相互に接続すると共に、これらの等電位化された部位、即ち前記複数の接地中継台、前記盤筐体、または前記導電部材の少なくとも一つを大地に埋設した接地極（アース杭）に接続したことを特徴とする。
【００１７】
ここで接地種別の異なる前記電気機器は、例えば電力変換器やその制御装置、更にはトランス等からなる。また、例えば前記複数台の盤装置にそれぞれ設けられた複数の接地中継台の１つは当該盤装置の盤筐体に接続して設けられ、他の接地中継台は前記盤筐体から絶縁して設けられたものからなる。
【００１８】
なお、前記複数台の盤装置が、例えば複数列に亘って並べて設けられることがある。この場合、例えば前記各盤筐体の外部における前記各盤装置の前記接地中継台や前記盤筐体の相互接続を前記盤装置の各列毎に行うと共に、これらの各列間での前記盤筐体の電気的な接続を隣接する列毎にそれぞれ行う。これによって前記複数台の盤装置の各盤筐体を等電位化すれば良い。
【００１９】
また前記複数列に亘って並べて設けた前記複数台の盤装置に対する前記盤筐体間の電気的な接続は、例えば導電体上に前記各盤装置をそれぞれ設置し、該導電体を介して行われる。好ましくは前記導電体は、前記複数台の盤装置の全てを並べて設置可能な大きさの金属板からなる。或いは前記導電体は、前記複数台の盤装置を列毎に設置可能な複数の金属製土台からなり、これらの金属製土台は隣接する金属製土台間で所定の導電部材を介して電気的に接続されたものからなる。
【発明の効果】
【００２０】
上記構成によれば、電気設備システムを構成する複数の盤装置における前記各盤筐体は、その内部において接地種別を異にする複数の前記接地中継台と前記盤筐体とがそれぞれ電気的に接続される。また前記各盤筐体の外部において前記各盤装置の等電位化された前記接地中継台や盤筐体が他の前記盤装置の等電位化された前記接地中継台もしくは前記盤筐体とが導電部材を介してそれぞれ相互に接続される。この結果、各盤装置における接地種別の異なる複数の接地中継台とその盤筐体とをそれぞれ等電位化することができる。これにより、前記各盤装置を容易に等電位ボンディング接地することができ、前記盤筐体にそれぞれ設けた接地種別の異なる複数の電気機器を容易に、且つ確実に等電位化することができる。
【００２１】
従って電気設備システムを構築する盤装置の中に個別接地法を前提として設計された盤装置が混在する場合や、或いは建屋等の電気設備システムの設置環境が等電位ボンディング接地法に対応した構造でない場合であっても、複数の盤装置に分散して収納された接地種別の異なる複数の電気機器の全てを容易に等電位接地することができる。故に建屋の構造自体を等電位ボンディング接地法に合わせて変更する必要がなく、また複数の盤装置を等電位ボンディング接地法に適合させるべく設計変更する必要もない。従って、例えば既存の電気設備システムで用いられていた複数の盤装置をそのまま活用しながら、新たな電気設備システムを構築する場合等において設備コストの低減を図り得る等、実用上多大なる効果が奏せられる。
【図面の簡単な説明】
【００２２】
【図１】本発明の一実施形態に係る電気設備システムの要部概略構成図。
【図２】複数台の盤装置を複数列に亘って設けたときの前記複数の盤装置間での接地線の接続関係を示す図。
【図３】複数台の盤装置を複数列に亘って設けたときの前記複数の盤装置間での接地線の別の接続状態を示す図。
【図４】本発明の別の実施形態に係る電気設備システムの要部概略構成図。
【図５】本発明の更に別の実施形態に係る電気設備システムの要部概略構成図、並びに複数台の盤装置を複数列に亘って設けたときの前記複数の盤装置間での接地線の別の接続状態を示す図。
【図６】個別接地法を採用した電気設備システムの要部概略構成図。
【図７】産業用の電力変換機器等を含む電気設備システムで用いられる複数種の盤装置の例を示す図。
【発明を実施するための形態】
【００２３】
以下、図面を参照して本発明の実施形態に係る電気設備システムについて説明する。
図１は本発明の一の実施形態に係る電気設備システムの要部概略構成図であり、図５に示した電気設備システムと同一部分には同一符号を付して示してある。ちなみに図７を参照して説明したように、本発明の実施形態に係る電気設備システムは、複数の盤筐体１２ａ,１２ｂに接地種別の異なる複数の電気機器を収納した複数の盤装置１１ａ,１１ｂを備えて構築される。これらの複数台の盤装置１１ａ,１１ｂは、各盤筐体１２ａ,１２ｂに収納される前記電気機器の接地種別の異なりに対応した複数の接地中継台１６ａ,１６ｂ,１６ｃ,１６ｄを互いに絶縁して設けたものである。
【００２４】
具体的にはＣ種接地の対象とする前記電力変換器１３と、該電力変換器１３のＤ種接地の対象となる前記制御装置１４とが収納される前記盤装置１１ａには、Ｃ種接地用の接地中継台１６ａとＤ種接地用の接地中継台１６ｂとがそれぞれ設けられる。特に前記Ｃ種接地用の接地中継台１６ａは、前記盤装置１１ａの躯体をなす盤筐体１２ａに電気的に接続して設けられ、これに対して前記Ｄ種接地用の接地中継台１６ｂは、碍子を介する等して前記盤筐体１２ａに対して絶縁して設けられる。即ち、接地種別の異なりに応じて設けられた前記接地中継台１６ａと前記接地中継台１６ｂとは、互いに絶縁して設けられる。そしてこの盤装置１１ａを構成する前記盤筐体１２ａに収納された前記電力変換器１３の接地用端子は、Ｃ種接地用の接地線（導電部材）６ａを介して前記接地中継台１６ａに接続され、また前記制御装置１４の接地用端子は、Ｄ種接地用の接地線（導電部材）６ｂを介して前記接地中継台１６ｂに接続される。
【００２５】
一方、一次側をＡ種接地の対象とし、二次側をＢ種接地の対象とする前記トランス１５が収納される前記盤装置１１ｂには、Ａ種接地用の接地中継台１６ｃとＢ種接地用の接地中継台１６ｄとがそれぞれ設けられる。特に前記Ａ種接地用の接地中継台１６ｃは、前記盤装置１１ｂの躯体をなす盤筐体１２ｂに電気的に接続して設けられ、これに対して前記Ｂ種接地用の接地中継台１６ｄは、碍子を介する等して前記盤筐体１２ｂに対して絶縁して設けられる。即ち、接地種別の異なりに応じて設けられた前記接地中継台１６ｃと前記接地中継台１６ｄとは、互いに絶縁して設けられる。そしてこの盤装置１１ｂを構成する前記盤筐体１２ｂに収納された前記トランス１５の一次側の接地用端子は、Ａ種接地用の接地線（導電部材）６ｃを介して前記接地中継台１６ｃに接続され、また該トランス１５の二次側の接地用端子は、Ｂ種接地用の接地線（導電部材）６ｄを介して前記接地中継台１６ｄに接続される。
【００２６】
このように構成された盤装置１１ａ,１１ｂを備えて構成される電気設備システムにおいて本発明が特徴とするところは、図１に示すように前記各盤筐体１２ａ,１２ｂの内部において、前記盤筐体１２ａに設けられた前記接地中継台１６ａと前記接地中継台１６ｂを接地線（導電部材）１８ａを介して電気的に接続し、また前記盤筐体１２ｂに設けられた前記接地中継台１６ｃと前記接地中継台１６ｄを接地線（導電部材）１８ｂを介して電気的に接続する。そして前記接地線１８ａを介する前記接地中継台１６ａ,１６ｂの接続により、これらの接地中継台１６ａ,１６ｂと前記盤筐体１２ａを等電位化する。また同様に前記接地線１８ｂを介する前記接地中継台１６ｃ,１６ｄの接続により、これらの接地中継台１６ｃ,１６ｄと前記盤筐体１２ｂを等電位化する。
【００２７】
その上で前記各盤筐体１２ａ,１２ｂの外部において前記各盤装置１１ａ,１１ｂの等電位化された前記接地中継台１６ａ,１６ｂ,１６ｃ,１６ｄを相互に接続する。具体的には前記盤筐体１２ａ,１２ｂにそれぞれ接続された前記接地中継台１６ｂ,１６ｄ間を、ひいては前記盤筐体１２ａ,１２ｂ間を所定の導電部材である接地線１８ｃ,１８ｄ,１８ｅを介してそれぞれ相互に接続する。そして接地中継台、若しくは盤筐体，導電部材の少なくとも一つ以上を，予め地中に埋設した接地極（アース杭）に接続する。
【００２８】
ちなみに図２に示すように複数台の盤装置１１が複数列に亘ってそれぞれ列をなして設けられる場合には、例えば各列毎に複数台の盤装置１１の各盤筐体１２を所定の接地線１８（１８ｃ,１８ｄ,１８ｅ）を介して相互に接続し、更にこれらの盤筐体１２を、隣接する列間において所定の接地線１９を介してそれぞれ接続する。そして複数列に亘って設けられる複数台の盤装置１１を、いわゆるメッシュ状に接続し、これによって前記各盤装置１１における盤筐体１２の等電位化、ひいては前記各接地中継台１６ａ,１６ｂ,１６ｃ,１６ｄの等電位化を図るようにする。
【００２９】
また，例えば前記設備基体上に導電性を有する金属板を敷設しておき、この金属板上に前記複数の盤装置１１をそれぞれ設置する。そして該金属板と前記複数の盤装置１１の盤筐体１２とを相互に電気的に接続し、これらの等電位化を図るようにすれば良い。このようにすれば電気設備システムが設置される建屋の構造に拘わることなく、また既存の盤装置を利用して新たな電気設備システムを構築する場合においても前記複数の盤装置１１を等電位ボンディング接地することが可能となる。
【００３０】
しかし複数の盤装置１１を複数列に亘って設けるような場合、これらの盤装置１１の設置領域の全てを覆う大面積に亘って前記金属板を設けるには多大なコストが嵩むことが否めない。従ってこのような場合には、例えば図３に示すように複数の盤装置１１が設けられる列毎に導電性を有する金属板（導電部材）２０を敷設する。そして各列の盤筐体１２を前記金属板２０にそれぞれ電気的に接続する。その上で前記複数列の金属板２０を、隣接する列間で所定の接地線（導電部材）１９を介してそれぞれ接続し、これによって前記複数の盤装置１１の盤筐体１２を相互に電気的に接続し、これらの等電位化を図るようにしても良い。
【００３１】
また或いは金属板２０の代わりに、複数列に亘って設けられる複数の盤装置１１をそれぞれ支持する金属台座２１として、例えば図４に示すように各列の全長に亘る長尺の金属台座（導電部材）２１ａとして構成する。そしてこの長尺の金属台座２１ａ上に前記複数の盤装置１１をそれぞれ設置することで、これらの盤装置１１の盤筐体１２を相互に電気的に接続してその等電位化を図ることも可能である。
【００３２】
また図５(ａ)に示すように列をなして設けられる盤装置１１の間に、隣接する盤装置１１を電気的に接続する導電製の金属板（導電部材）２３をそれぞれ設けて各列の盤装置１１の等電位化を図るようにしても良い。そしてこのように設置された盤装置１１が複数列に亘って設けられる場合には、図５(ｂ)に示すように各列の金属板２３を、接地線１９を介して電気的に接続し、これによって複数の盤装置１１における各盤筐体１２を等電位化するようにしても良い。
【００３３】
かくして上述した如く構築される電気設備システムによれば、個別接地法を前提として設計された盤装置を含む場合であっても、複数の接地種別の電気機器を備えて構築される電気設備システムを簡易に等電位ボンディング接地することができる。また当該電気設備システムが設置される建屋における既存の接地系の構成が不明な場合や、新たな接地系統の敷設が不可能な場合であっても、複数の接地種別の電気機器を簡易に、しかも安価に等電位ボンディング接地することができる。従って既存の建屋に新たな電気設備システムを設置する場合や、既存の電気設備システムの一部を利用しながら新たな電気設備システムを構築する場合等、本発明が寄与する実用的利点が多大である。
【００３４】
尚、本発明は上述した各実施形態に限定されるものではない。例えば電気設備システムを構成する盤装置の数や、各盤装置にそれぞれ収納する電気機器の種類は特に限定されるものではない。また電気設備システムを建屋に設置する場合だけでなく、太陽光発電設備等の屋外に設置される電気設備システムにも適用可能なことは言うまでもない。要は本発明はその要旨を逸脱しない範囲で種々変形して実施することができる。
【符号の説明】
【００３５】
１ａ,１ｂ  盤装置
２ａ,２ｂ  盤筐体
３ａ,３ｂ  電力変換器
４ａ,４ｂ  制御装置
５ａ,５ｂ  接地中継台
６ａ,６ｂ,６ｃ,６ｄ,６ｅ,６ｆ  接地線（導電部材）
７  接地端子盤
８ａ,８ｂ  中継端子
９ａ,９ｂ  接地極（アース杭）
１１,１１ａ,１１ｂ  盤装置
１２,１２ａ,１２ｂ  盤筐体
１３  電力変換器
１４  制御装置
１５  トランス
１６ａ,１６ｂ,１６ｃ,１６ｄ  接地中継台（導電部材）
１８,１８ａ〜１８ｅ  接地線（導電部材）
１９  接地線（導電部材）
２０  金属板（導電部材）
２１,２１ａ  金属台座（導電部材）
２３  金属板（導電部材）
【図２】
2016116324.tif 000003
【図３】
2016116324.tif 000004
【図１】
2016116324.tif 000005
【図４】
2016116324.tif 000006
【図５】
2016116324.tif 000007
【図６】
2016116324.tif 000008
【図７】
2016116324.tif 000009